(57)【要約】【課題】面格子の開閉操作を自動的に行えるようにした窓装置を提供すること。【解決手段】建物の窓開口部１に配置される面格子２を開き戸式に開閉可能に設け、この面格子２を窓開口部１が開放される開放位置と窓開口部が閉鎖される閉鎖位置とに自動的に開閉する面格子開閉手段１１を設ける。【選択図】図２
2009287192.tif 000002
【特許請求の範囲】
【請求項１】
建物の窓開口部に配置される面格子を開き戸式に開閉可能に設け、この面格子を窓開口部が開放される開放位置と窓開口部が閉鎖される閉鎖位置とに自動的に開閉する面格子開閉手段を設けてなる窓装置。
【請求項２】
建物の窓開口部の室外側に配置される面格子を、窓開口部の室内側に設けられた固定枠に開き戸式に開閉可能に取り付け、面格子と固定枠との間には、面格子を窓開口部が開放される開放位置と窓開口部が閉鎖される閉鎖位置とに自動的に開閉する面格子開閉手段を介設してなる窓装置。
【請求項３】
前記面格子開閉手段は、リンク機構と、このリンク機構を面格子の閉鎖位置に対応する折畳位置と開放位置に対応する展開位置とに往復駆動する直動式往復駆動手段とからなる請求項１又は２に記載の窓装置。
【請求項４】
前記面格子開閉手段は、平常時は面格子を閉鎖位置に保持し、火事等の緊急時に火災報知機が熱又は煙を検知した検知信号によって面格子を閉鎖位置から開放位置に開放駆動させるようになっている請求項１〜３のいずれかに記載の窓装置。
【発明の詳細な説明】
【技術分野】
【０００１】
本発明は、戸建て住宅、マンション、ビル等の建物における窓開口部の室外側に面格子を備えた窓装置に関するものである。
【背景技術】
【０００２】
面格子は、従来より防犯目的から窓開口部の室外側に固定して設けられていたが、固定式の面格子では、火災発生時等の緊急時には窓開口部からの脱出が阻まれて惨事を招くおそれがある。そこで本出願人は、例えば特許文献１に示すように、面格子を、窓開口部外側へ開放回動可能な開き戸式としたり窓開口部の側方へ開放移動可能なスライド式とし、平常時は施錠装置によってその面格子を土開口部側の固定枠に対し施錠し、火災発生時等の緊急時にはその施錠を解錠して面格子を開放して、窓開口部から緊急脱出できるようにしている。
【特許文献１】特許第３２４７６２４号公報
【発明の開示】
【発明が解決しようとする課題】
【０００３】
特許文献１その他に示す面格子では、施錠装置による解錠操作は手動で行うようになっており、しかもその解錠操作にはある程度の力を要することから、子供や身障者等には解錠を行うことが困難な場合がある。
【０００４】
そこで本発明は、面格子の開閉操作を自動的に行えるようにした窓装置を提供することを目的とする。
【課題を解決するための手段】
【０００５】
上記課題を解決するための手段を、後述する実施形態の参照符号を付して説明すると、請求項１に係る発明の窓装置は、建物の窓開口部１に配置される面格子２を開き戸式に開閉可能に設け、この面格子２を窓開口部１が開放される開放位置と窓開口部１が閉鎖される閉鎖位置とに自動的に開閉する面格子開閉手段１１を設けてなることを特徴としている。
【０００６】
請求項２に係る発明の窓装置は、建物の窓開口部１の室外側に配置される面格子２を、窓開口部１の室内側に設けられた固定枠３に開き戸式に開閉可能に取り付け、面格子２と固定枠３との間には、面格子２を窓開口部１が開放される開放位置と窓開口部１が閉鎖される閉鎖位置とに自動的に開閉する面格子開閉手段１１を介設してなることを特徴とする。ここで、窓開口部１の室外側に配置されるとは、窓開口部１内の室外側寄りに配置される、あるいは窓開口部１から室外にはみだして配置されることを言うものとする。また、窓開口部１の室内側に設けられるとは、窓開口部１内の室内側寄りに設けられる、あるいは窓開口部１から室内にはみだして配置されることを言うものとする。
【０００７】
請求項３は、請求項１又は２に記載の窓装置において、前記面格子開閉手段１１は、リンク機構１２と、このリンク機構１２を面格子２の閉鎖位置に対応する折畳位置と開放位置に対応する展開位置とに往復駆動する直動式往復駆動手段とからなることを特徴とする。
【０００８】
請求項４は、請求項１〜３のいずれかに記載の窓装置において、前記面格子開閉手段１１は、平常時は面格子２を閉鎖位置に保持し、火事等の緊急時に火災報知機２３が熱又は煙を検知した検知信号によって面格子２を閉鎖位置から開放位置に開放駆動させるようになっていることを特徴とする。
【発明の効果】
【０００９】
上記解決手段による発明の効果を、後述する実施形態の参照符号を付して説明すると、請求項１に係る発明の窓装置によれば、面格子２を開放位置と閉鎖位置とに自動的に開閉する面格子開閉手段１１を設けているので、面格子２を直接手で開閉操作することなく、面格子開閉手段１１を開閉操作するためのスイッチをオン・オフするだけで、面格子２を自動的に開放し、また閉鎖することができ、従って子供や身障者等であっても面格子２を開閉させることができる。
【００１０】
請求項２に係る発明の窓装置によれば、面格子２を、窓開口部１の室内側にある固定枠３に開き戸式に開閉可能に取り付け、面格子２と固定枠３との間に、面格子２を開放位置と閉鎖位置とに自動的に開閉する面格子開閉手段１１を介設しているので、例えば、固定枠３内に設けた引戸障子のガラスを室外から掃除するような場合に面格子２を開放させる時には、面格子２を直接手で開閉操作することなく、面格子開閉手段１１を開閉操作するためのスイッチをオン・オフするだけで、面格子２を自動的に開放し、また閉鎖することができる。
【００１１】
請求項３に係る発明の窓装置によれば、面格子開閉手段１１が、リンク機構１２と、リンク機構１２を面格子２の閉鎖位置に対応する折畳位置と開放位置に対応する展開位置とに往復駆動する直動式往復駆動手段とからなるため、構造が簡単でコンパクトになり、設置が容易となる。
【００１２】
請求項４に係る発明の窓装置にによれば、面格子２は通常は閉鎖位置に保持されているから、面格子開閉手段１１を操作するスイッチをオン・オフするだけで、面格子２を自動的に開放し、また閉鎖することができる。また、室内での火事等の緊急事態発生により、火災報知機が熱又は煙を検知した時は、その検知信号によって面格子２を閉鎖位置から開放位置に開放駆動させるから、室内に子供や身障者等がいる場合でもその子供等が自ら面格子２を開放操作することなく、そのまま脱出できるし、室外からの救出作業も容易に行うことができる。
【発明を実施するための最良の形態】
【００１３】
以下に本発明の好適な一実施形態を図面に基づいて説明すると、図１の(a) は面格子が閉鎖位置にある状態を室外側から見た正面図であり、(b) は(a) のＸ−Ｘ線拡大断面図であるが、面格子のルーバーが開いた状態（水平姿勢にある）を示している。また、図２は図１の(b) のＹ−Ｙ線拡大断面図であり、図３の(a) は図１の(a) のＶ−Ｖ線拡大断面図、(b) は図１の(a) のＷ−Ｗ線拡大断面図で、いずれも面格子のみを示す断面図である。これらの図において、１は建物の窓開口部で、この窓開口部１内の室外側には面格子２が配設されている。３は窓開口部１内の室内側に固定された金属製の固定枠で、この固定枠３自体が、例えば引き違い障子を嵌装するサッシ枠となる場合もあるし、またこの固定枠３にサッシ枠が取り付けられる場合もある。
【００１４】
面格子２は、左右縦枠４，４と上下横枠５，６とからなる面格子周枠７を有し、この面格子周枠７内に水平方向に延びる多数の横長ルーバー８が上下多段状に配設されている。前記固定枠３は、図１の(b) 及び図２に示すように、左右縦材３ａ，３ａ、上横材３ｂ及び下横材（図示省略）とからなるもので、左右縦材３ａ，３ａ内の上端部には面格子取付用のブラケット９，９が取り付けられていて、両ブラケット９，９の先端部に面格子周枠７の左右縦枠４，４の上端部が夫々枢支軸１０，１０によって枢着され、それにより面格子２は、面格子周枠７の上辺側に位置する両枢支軸１０，１０を中心に室外側へ回動開放できるようになっている。
【００１５】
そして、面格子２と、窓開口部１の室内側に設けられた固定枠３との間には、面格子２を、窓開口部１が開放される開放位置と窓開口部１が閉鎖される閉鎖位置とに自動的に開閉する面格子開閉手段１１が介設されている。この面格子開閉手段１１は、前記固定枠３の左右各縦材３ａに沿って配設されたもので、固定枠３の縦材３ａと面格子２との間に介装されたリンク機構１２と、このリンク機構１２を面格子２の閉鎖位置に対応する折畳位置と面格子２の開放位置に対応する展開位置とに往復駆動する直動式往復駆動手段としてのリニアアクチュエータ１３とから構成される。このリニアアクチュエータ１３は例えば電動式のリニアアクチュエータである。
【００１６】
面格子開閉手段１１のリンク機構１２は、一端部が固定枠３の各縦材３ａ内に取り付けられた取付部材１４にピン１５で枢着されたリンク１２ａと、一端部が面格子２の縦枠４に取り付けられた取付部材１６にピン１７で枢着されたリンク１２ｂとからなるもので、両リンク１２ａ，１２ｂの他端部どうしがピン１８で枢着されている。リニアアクチュエータ１３は、可動体１３ｂが円筒状本体１３ａに対し軸方向に伸縮するように往復移動するもので、円筒状本体１３ａの基端部は、固定枠３の縦材３ａ内に取り付けられた取付部材１９にピン２０によって枢着され、可動体１３ｂの先端部がリンク機構１２の両リンク１２ａ，１２ｂの夫々他端部と共に前記ピン１８で枢着されている。
【００１７】
この面格子開閉手段１１の動作について説明すると、図２の実線で示すように、面格子２が閉鎖位置にある時は、リンク機構１２及びリニアアクチュエータ１３は、固定枠３の縦材３ａの中に納まるように折り畳まれた状態なっている。しかして、この状態からリニアアクチュエータ１３の可動体１３ｂが伸張作動すると、同図の仮想線で示すように、リンク機構１２が折畳位置から開放位置へと展開して面格子２を開放することになり、またリニアアクチュエータ１３の可動体１３ｂが収縮作動すると、リンク機構１２が開放位置から折り畳まれてリニアアクチュエータ１３と共に縦材３ａの中に収納されて、面格子２を閉鎖することになる。
【００１８】
また、この面格子開閉手段１１は、平常時は面格子２を閉鎖位置に保持し、そして火事等の緊急事態発生時に火災報知機が熱又は煙を検知した検知信号によって面格子２を閉鎖位置から開放位置に開放駆動させるようになっている。図５は面格子開閉手段１１の電気系統のフローチャートを示したもので、２１は直動式往復駆動手段としてのリニアアクチュエータ１３を電気的に制御する制御部、２２はリニアアクチュエータ１３をオン・オフ操作する押しボタン等の手動操作部、２３は火災報知機である。
【００１９】
従って、面格子２は通常は閉鎖位置に保持されているから、例えば、固定枠３内に設けられた引戸障子のガラスを室外から掃除するような場合に面格子２を開放させる時には、押しボタン等の手動操作部２２を操作して（スイッチオンして）、リニアアクチュエータ１３の可動体１３ｂを伸張作動させることにより、面格子２を自動的に開放させることができ、そして手動操作部２２をスイッチオフに操作することにより、面格子２は自動的に閉鎖する。また、室内で火事等の緊急事態が発生して、火災報知機が熱又は煙を検知した時は、その検知信号が制御部２１に送られて、面格子開閉手段１１のリニアアクチュエータ１３が伸張作動し、リンク機構１２を介して面格子２を自動的に開放させるから、室内に子供や身障者等がいる場合でも、その子供等が自ら面格子２を開放操作することなく、そのまま脱出することができるし、室外からの救出作業も容易に行うことができる。
【００２０】
次に、面格子２のルーバー８の構造について更に詳しく説明すると、この面格子２は、左右縦枠４，４と上下横枠５，６とからなる面格子周枠７内に水平方向に延びる多数のルーバー８が上下多段状に連動開閉可能に配設された可動ルーバー面格子である。
【００２１】
各ルーバー８は、図２及び図４に示すように、横断面全体が概略Ｓ字形状で且つその中央部の横断面が概略楕円形の中空状に形成されたアルミ合金の押出型材からなるもので、その楕円形中空部２５は隔壁部２６を介して両側の断面略三角形中空部２５ａ，２５ａに分割され、隔壁部２６にはビスポケット２７がルーバー８の全長にわたって形成されている。
【００２２】
また図４に示すように、各ルーバー８の両端部には合成樹脂により一体成形された端部キャップ２８が夫々取り付けられ、各端部キャップ２８は、ルーバー８の端面の中空部２５を覆うキャップ本体２９の内端側に、中空部２５の両側三角形中空部２５ａ，２５ａに嵌合される一対の嵌合凸部３０，３０を突設すると共に、キャップ本体２９の外端側には、面格子周枠７の縦枠４の内側板４ｏに設けた軸孔３４に回転自在に支持される支軸部３１と、この支軸部３１の外端側に支軸部３１よりも径小の角軸部３２とを同軸に形成し、更に支軸部３１、角軸部３２及びキャップ本体２９の軸芯を貫通するビス挿通孔３３を設けてなるものである。
【００２３】
しかして、ルーバー８を面格子周枠７の左右縦枠４，４に取り付けるには、ルーバー８の両端部に端部キャップ２８，２８を取り付けた後、両端部キャップ２８，２８の支軸部３１，３１を縦枠４，４の内側板４ｏ，４ｏにの軸孔３４，３４に夫々挿通することによって、ルーバー８を左右縦枠４，４に回転自在に軸架する。この後、各ルーバー８の一端側の端部キャップ２８の角軸部３２に、クランクアーム３５の一端側に設けた角孔３６を嵌合し、この角孔３６の反対側端部のビス挿通孔３７から挿通したビス３８を、端部キャップ２８のビス挿通孔３３を通じてルーバー８のビスポケット２７にねじ込むことによって、端部キャップ２８をルーバー８に固定すると共に、クランクアーム３５を端部キャップ２８に固定する。
【００２４】
上記のように各ルーバー８の一端側の端部キャップ２８にクランクアーム３５を取付固定した後、各クランクアーム３５の先端側に突設してある縮径可能な割りピン３９を連杆４０のピン孔４０ａに嵌め込むことにより、各ルーバー８をクランクアーム３５を介して連動連結し、この状態を図３の(a) に示す。
【００２５】
また、各ルーバー８の他端側では、図３の(b) に示すように、例えば上下二つの所要の端部キャップ２８の角軸部３２に回転円板４１を同心状に取付け固定し、これら二つの回転円板４１，４１を連杆４２，４２により連動連結し、片方の連杆４２の下端部を、縦枠４内の下端部に設けたリニアアクチュエータ４３の可動体４３ｂに連結する。
【００２６】
このリニアアクチュエータ４３は、面格子開閉手段１１のリニアアクチュエータ１３と同様に、可動体４３ｂが円筒状本体４３ａに対し軸方向に伸縮するように往復移動するもので、円筒状本体１３ａの基端部は縦枠４側に枢着され、可動体４３ｂの先端部が連杆４２の下端部に枢着されている。いま、図３の(b) では、リニアアクチュエータ４３の可動体４３ｂが伸張作動した状態で、各ルーバー８が閉じ位置にあり、この状態から、可動体４３ｂが収縮作動すれば、連杆４２を介して回転円板４１が９０°回転し、各ルーバー８は図３の仮想線で示されるような開放位置に保持され、また可動体１３ｂじ伸張作動すると、連杆４２を介して回転円板４１が逆方向に９０°回転し、各ルーバー８は同図の実線で示される閉じ位置に保持されることになる。
【００２７】
上記のような可動ルーバー面格子２によれば、リニアアクチュエータ４３を操作することによって、ルーバー８を一斉に自動開閉させることができる。
【００２８】
上述した実施形態では、面格子開閉手段１１の直動式往復駆動手段として、電動式リニアアクチュエータ１３を使用しているが、リニアアクチュエータは、電動式に限るものではなく、電磁式その他のものを使用してもよい。また直動式往復駆動手段としては、各種リニアアクチュエータに限らず、エアシリンダや油圧シリンダを使用してもよい。また、ルーバー８を自動開閉するのに使用するリニアアクチュエータ４３も同様である。但し、電動式等のリニアアクチュエータ１３，４３は、それ自体の小型、軽量化が可能である上、シリンダの場合のような圧力流体の配管が不要で、制御も簡単となるため、面格子周枠７内の狭い空間部でも容易に設置することができると共に、製作コストが安くなる。
【００２９】
また、上述の実施形態では、面格子２は、面格子周枠７の上辺側に位置する支軸１０を中心に室外側へ上下方向に回動開放できるようになっているが、これは一例であって、本発明に係る面格子としては、左右側辺（左右縦枠４）に位置する支軸を中心に左右方向に回動開放できるようにしてもよく、更には面格子周枠７の下辺側に位置する支軸を中心に上下方向に回動開放できる構造でもよい。
【００３０】
また、上述の実施形態では、建物の窓開口部１の室外側に面格子２を設け、面格子２の室内側に固定枠３を設けているが、窓開口部１内に、例えば引き違い障子用のサッシ枠としての固定枠３を取り付け、この固定枠３の室内側に面格子２を設ける場合もあり、またその場合、固定枠３は窓開口部１内に限らず、窓開口部１の室内側に設け、この固定枠３の更に室内側に面格子２を設けることもある。また面格子２は、窓開口部１から室外側へはみだして設ける場合もある。
【図面の簡単な説明】
【００３１】
【図１】(a) は面格子が閉鎖位置にある状態を室外側から見た正面図であり、(b) は(a) のＸ−Ｘ線拡大断面図であるが、面格子のルーバーが開いた状態を示している。
【図２】図１の(b) のＹ−Ｙ線拡大断面図である。
【図３】(a) は図１の(a) のＶ−Ｖ線拡大断面図、(b) は図１の(a) のＷ−Ｗ線拡大断面図で、いずれも面格子のみを示す断面図である。
【図４】ルーバー、端部キャップ、クランクアーム及び連杆を示す斜視図である。
【図５】面格子開閉手段の電気系統のフローチャートである。
【符号の説明】
【００３２】
１            建物の窓開口部
２            面格子
３            固定枠
１１          面格子開閉手段
１２          リンク機構
１３          リニアアクチュエータ（直動式往復駆動手段）
２３          火災報知機
【図１】
2009287192.tif 000003
【図２】
2009287192.tif 000004
【図３】
2009287192.tif 000005
【図４】
2009287192.tif 000006
【図５】
2009287192.tif 000007